(57)【要約】【課題】小規模住宅にとって極めて有効な免震構造を実現することを課題とする。【解決手段】ゴム状弾性を有するブロック体１の一面２に基礎杭３の上端に嵌合されるキャップ体４が設けられ、前記一面２と平行とされた他面２にキャップ体４と同軸とされた建築物基礎５の受部４ａが設けられてなる。【選択図】  図１
2004324380.tif 000002
【特許請求の範囲】
【請求項１】
ゴム状弾性を有するブロック体の一面に基礎杭の上端に嵌合されるキャップ部が設けられ、前記一面と平行とされた他面に前記キャップ体と同軸とされた建築物基礎の受部が設けられてなる免震用杭頭キャップ。
【請求項２】
請求項１の免震用杭頭キャップにおいて、建築物基礎受部が、基礎杭の上端に嵌合されるキャップ部と同様なキャップ体とされてなる免震用杭頭キャップ。
【請求項３】
請求項１又は３の免震用杭頭キャップにおいて、ゴム状弾性を有するブロック体の外周が、地震時にうける変動では容易に破断されるが、平常時では建物重量による圧縮変形を防止できる程度の強度を有する層で被覆したことを特徴とする免震用杭頭キャップ。
【発明の詳細な説明】
【０００１】
【発明の属する技術分野】
この発明は、基礎杭と上部構造物との結合部を免震構造とするために使用される免震用杭頭キャップに関する。
【０００２】
【従来の技術】
従来、一般住宅などの建築物を構築する場合、支持地盤に到達するまで埋め込んだ杭に建築物の基礎を支持させることが一般に行なわれている。
【０００３】
この場合、従来では杭頭を建物基礎に剛に結合することとされてきたが、杭から建物基礎に地震の振動が直接伝わるので、建物に損傷を生じさせたり、あるいは杭と建物基礎との接合部に大きな曲げモーメントが発生し、杭頭が破壊されてしまうことがあるという問題があった。
【０００４】
このような問題は基礎杭と建物基礎との間にダンパー装置を設け基礎から上の建物に地震の振動の影響をなくすようにすることや（特許文献１）、多数のゴム板を積重してなる、振動を吸収するようにした免震部材（特許文献２）を基礎杭と建物基礎との間に介挿することなどが考えられる。
【０００５】
【特許文献１】
特開２００２−１０６６３０号公報
【０００６】
【特許文献２】
特開２００２−１３５７２号公報
【０００７】
【発明が解決しようとする課題】
しかしながら、上記した免震装置のうち、前者のものは油圧装置など構造が大掛かりとなり、個人住宅のような小規模建築物の免震装置としては、設備が過剰となって実現は困難となる問題がある。
【０００８】
後者の免震部材を用いた免震構造は、設備の過剰性は前者ほどではないが、構造が複雑となり、各基礎杭と建物基礎との間に介挿するのは、やはりコストが高くなり、個人住宅のような小規模建築物の免震装置としては、不可能ではないにしてもかなり実現は困難となる問題があった。
【０００９】
この発明は上記問題点に鑑み、小規模住宅にとって極めて有効な免震構造を実現することを課題としてなされたものである。
【００１０】
【課題を解決するための手段】
上記目的を達成するため請求項１の免震用杭頭キャップは、ゴム状弾性を有するブロック体の一面に基礎杭の上端に嵌合されるキャップ部が設けられ、前記一面と平行とされた他面に前記キャップ体と同軸とされた建築物基礎受部が設けられてなるものである。
【００１１】
従って、この発明の免震用杭頭キャップを基礎杭の上端に取り付け、免震用杭頭キャップの上面に建物基礎を一体化して支持させれば、杭頭と建物基礎との間にはゴム状弾性を有するブロック体が介在するので、このブロック体によって吸振が行われ、地震動が建物へと伝わるのが軽減される。しかも、構造が非常に簡単なので、安価に製造でき、取付作業も容易となる等の効果を有する。
【００１２】
請求項２の免震用杭頭キャップは、請求項１の免震用杭頭キャップにおいて、建築物基礎受部が、基礎杭の上端に嵌合されるキャップ部と同一軸を有するキャップ体とされてなるものである。
【００１３】
従って、この免震用杭頭キャップによれば、キャップ体を建物基礎に埋め込むようにすれば、一体化でき施工が容易になる。
請求項３の遮水壁取付け用管は、上記の請求項１又は３の免震用杭頭キャップにおいて、ゴム状弾性を有するブロック体の外周が、地震時にうける変動では容易に破断されるが、平常時では建物重量による圧縮変形を防止できる程度の強度を有する層で被覆したことを特徴とするものである。
【００１４】
この構成により、建物重量で圧縮変形しやすいゴム状弾性を有する弾性部材も免震用杭頭キャップとして利用可能となり、適用可能な弾性材料の幅が広くなる。
【００１５】
【発明の実施の形態】
次に、この発明の実施の形態を説明する。
図１は、この発明の実施の形態の免震用杭頭キャップを示す断面図である。
【００１６】
図１において、１はゴム状の弾性を有するブロック体を示し、図示例は短円柱状とされ、その円形端面２、２の両面に基礎杭３の上端に被せることの出来る内径の金属製ないしは強度に優れる硬質プラスチック製のキャップ体４、４が一体的に接着されている。
【００１７】
そして、この免震用杭頭キャップを用いて基礎を構築する場合、図２に示すようにまず、地中に打ち込んだ基礎杭３…３の上端にキャップ体４を被せ、次いで、弾性ブロック体１を挟んで反対側に設けた受部４ａであるもう一つのキャップ体の上面側に例えばコンクリート基礎５を打設するのである。このとき、打設されたコンクリート基礎５は上側の受部４ａの内部にまでも充填されるから、基礎５と容易に一体化される。
【００１８】
そして、このような基礎５が完成後、地震による振動があっても、基礎杭３の振動はゴム状弾性を有するブロック体１の弾性変形により吸振され、上部建物へ直接伝わって行くのが防止され、地震から守られるのである。
【００１９】
上記実施の形態の免震用杭頭キャップの別構成例として、図３に示すようにゴム状弾性を有するブロック体１の外周を、地震時の変形では容易に破断されるが、平常時では建物重量による圧縮変形を防止できる程度の強度の低い、薄い金属板製の筒体６でくるんでも良い。この場合、建物重量によってゴム状弾性を有するブロック体１が圧縮により膨出変形するのが防止でき、長期間にわたるブロック体１の塑性変形が防止できて都合が良い。
【００２０】
なお、地震時は、薄い金属板製の筒体６は容易に破断されてブロック体１の自由変形は確保されるので、免震性は確保される。
また、ブロック体１と建物の基礎５との接合部分を図４に示すように板状７としても良い。この場合は建物基礎５と広い面積で接することができ、応力分散が図られる。
【００２１】
さらに図５に示すようにブロック体１の外周を前記と同様な強度の金属板製筒体６でくるんだ構成としても良い。
【００２２】
【発明の効果】
以上説明したように、建築物の基礎を支える基礎杭の頂部にこの発明の免震用杭頭キャップを被せ、その上に建築物の基礎を構築すれば、それぞれの杭頭に設けられたゴム状弾性を有するブロックにより地震の振動が吸収され、建築物に無理な力が作用せず、また杭自身にも無理な曲げ力やせん断力が働くことはなくなり、地震による建物損壊が有効に防止される。また、ゴム状弾性を有するブロック体の外周を、地震時にうける変動では容易に破断されるが、平常時では建物重量による圧縮変形を防止できる程度の強度を有する層で被覆すれば、建物重量で圧縮変形しやすいゴム状弾性の弾性部材も使用可能となる。
【００２３】
また、この発明の免震用杭頭キャップは、構造が非常に簡単でしかも杭頭への設置が容易に出来るので施工も容易であるなどの効果を有する。
【図面の簡単な説明】
【図１】この発明の実施の形態である免震用杭頭キャップの断面図である。
【図２】この発明の実施の形態の免震用杭頭キャップの使用状態を説明する断面図である。
【図３】この発明の実施の形態である免震用杭頭キャップの他の構成例を示す断面図である。
【図４】この発明の実施の形態である免震用杭頭キャップのさらに他の構成例を示す断面図である。
【図５】この発明の実施の形態である免震用杭頭キャップのさらに他の構成例を示す断面図である。
【符号の説明】
１      ゴム状弾性を有するブロック体
２      ゴム状弾性を有するブロック体の平行な端面
３      基礎杭
４      キャップ体
５      建物基礎
６      被覆層
７      板状接合部
【図１】
2004324380.tif 000003
【図２】
2004324380.tif 000004
【図３】
2004324380.tif 000005
【図４】
2004324380.tif 000006
【図５】
2004324380.tif 000007